(57)【要約】【課題】大画面液晶ＴＶの前面に装着するアクリル製湾曲板を、うねり状の変形が生じることなく多数枚積み重ねて搬送でき、紙材を無駄なく形成できる新規な紙製パレットを提供する。【解決手段】左右の縦桁１，１、中央の縦桁２、複数の横桁３を組み合わせ、各桁間に形成される空間部４にＸ字形桟５を装填したパレット本体ａの上面に上面板６を固着した構造になるので、多数枚積み重ねた状態で積載される湾曲板＊＊の積載荷重を、夫々の桁１，２，３とＸ字形桟５により均等に分散させることができる。【選択図】  図２
2004149180.tif 000002
【特許請求の範囲】
【請求項１】
比較的大型の湾曲板を搬送するための紙製パレットであって、
左右の縦桁（１，１）の間に中央の縦桁（２）を配列し、且つ前記左右の縦桁の間に所定間隔をおいて複数の横桁（３）を平行に配列すると共に、前記左右の縦桁（１，１）、中央の縦桁（２）、複数の横桁（３）で区画形成される複数の空間部（４）にＸ字形桟（５）を各々装填し、さらに前記湾曲板と同様な湾曲形状の上面板（６）を固着して該上面板（６）を前記左右及び中央の縦桁（１，１，２）、複数の横桁（３）とＸ字形桟（５）で支持してなり、
前記横桁の上端面（３ａ）とＸ字形桟の上端面（５ａ）は前記湾曲板の曲率に合う曲面状にカットされ、前記左右の縦桁（１，１）と中央の縦桁（２）は各々前記湾曲板の曲率に合わせた高さに形成されている紙製パレット。
【請求項２】
前記左右及び中央の縦桁（１，１，２）、複数の横桁（３）とＸ字形桟（５）が、上面を開口する外ケース（７）内に収容されている請求項１記載の紙製パレット。
【請求項３】
前記外ケース（７）が、側周壁にフォーク差し込み用開口（８）を有する下部パレット（ｂ）の上面に固着されている請求項２記載の紙製パレット。
【請求項４】
前記左右及び中央の縦桁（１，１，２）、複数の横桁（３）とＸ字形桟（５）、上面板（６）、外ケース（７）、下部パレット（ｂ）が、単層段ボール板又は２層以上の多層段ボール板からなることを特徴とする請求項１〜３の何れか１項記載の紙製パレット。
【請求項５】
前記湾曲板が、大画面液晶ＴＶの前面に装着するアクリル製湾曲板である請求項１〜４の何れか１項記載の紙製パレット。
【発明の詳細な説明】
【０００１】
【発明の属する技術分野】
本発明は、例えば大画面液晶ＴＶの前面に装着するアクリル製湾曲板のように、所定の大きさの湾曲板を多数枚積み重ねて搬送する際に使用する紙製のパレットに関する。
【０００２】
【従来の技術】
従来から、例えば特許文献１に記載されるような、段ボール板からなる紙製パレットが知られている。
このような紙製のパレットは、旧来の木製パレットや合成樹脂製パレットに比べて軽量で輸送コストが安く、リサイクル性に優れるなどの各種利点を有するものの、上面が水平な載承面であるため、大画面液晶ＴＶの前面に装着するアクリル製湾曲板のように、所定の大きさの湾曲板を複数枚積み重ねて搬送する場合には不向きであった。
【０００３】
【特許文献１】
特開２０００−３３５５７９号公報
【０００４】
一方、例えば画像を投影する映写スクリーンやロール製品のような湾曲面を有する製品（被搬送物）を搬送するための紙製パレットとして、特許文献２のように、上端面を曲面にカットした桁材を、間隔をおいて平行に必要数配列したダンボール製パレットや、特許文献３のように、縦桁と横桁を互いに交叉する井桁状に組合わせると共にそれら縦桁と横桁を表皮シートでカバーした搬送用パレットが提案されている。
【０００５】
【特許文献２】
実用新案登録第３０６９９４８号公報
【特許文献３】
実用新案登録第３０８２７９１号公報
【０００６】
【発明が解決しようとする課題】
特許文献２に記載されたダンボール製パレットは、製品の載承面を、各桁材（横桁）の上端面のみから形成するようになっており、多数の桁材を必要とするばかりか、これら多数の桁材を、若干の隙間を残して平行に並べた一体成形物のような構造になるので、材料の無駄が生じるという問題がある。
特許文献３に記載された搬送用パレットは、複数の横桁と縦桁を組合わせることで特許文献２による問題は解消できるが、縦桁相互間、横桁相互間に空間部分が形成されるので、この部分の支持強度が弱くなり、大画面液晶ＴＶの前面に装着するアクリル製湾曲板のような製品を多数枚積み重ねた場合、積載荷重の分散が不均一になって製品にうねり状（波状）の変形が生じる虞れがある。
【０００７】
本発明はこのような従来事情に鑑みてなされたもので、その目的とするところは、大画面液晶ＴＶの前面に装着するアクリル製湾曲板のような、積載荷重分布が不均一になるとうねり状の変形が生じ易い製品を搬送するための紙製パレットであって、前記うねり状の変形が生じることのないよう、積載荷重が均一に分散される状態で前記湾曲板のような製品を多数枚積み重ねて搬送することができ、且つ材料の無駄なく形成される新規な紙製パレットを提供することにある。
【０００８】
【課題を解決するための手段】
以上の目的を達成するために、本発明の紙製パレットは請求項１記載のように、比較的大型の湾曲板を搬送するための紙製パレットであって、
左右の縦桁（１，１）の間に中央の縦桁（２）を配列し、且つ前記左右の縦桁の間に所定間隔をおいて複数の横桁（３）を平行に配列すると共に、前記左右の縦桁（１，１）、中央の縦桁（２）、複数の横桁（３）で区画形成される複数の空間部（４）にＸ字形桟（５）を各々装填し、さらに前記湾曲板と同様な湾曲形状の上面板（６）を固着して該上面板（６）を前記左右及び中央の縦桁（１，１，２）、複数の横桁（３）とＸ字形桟（５）で支持してなり、
前記横桁の上端面（３ａ）とＸ字形桟の上端面（５ａ）は前記湾曲板の曲率に合う曲面状にカットされ、前記左右の縦桁（１，１）と中央の縦桁（２）は各々前記湾曲板の曲率に合わせた高さに形成されていることを特徴とする。
【０００９】
このように形成した場合、左右及び中央の縦桁（１，１，２）と、複数の横桁（３）を組み合わせると共に、それら各桁間に区画形成される空間部（４）にＸ字形桟（５）を装填したパレット本体（ａ）に上面板（６）を固着した構造になるので、その上面板（６）上に多数枚積み重ねた湾曲板（被搬送物）の積載荷重を、夫々の縦桁（１，１，２）、横桁（３）及びＸ字形桟（５）により均等に分散させることができる。
【００１０】
また本発明の請求項２では、前記左右及び中央の縦桁（１，１，２）、複数の横桁（３）とＸ字形桟（５）が、上面を開口する外ケース（７）内に収容されていることを特徴とする。
【００１１】
このように形成した場合、左右及び中央の縦桁（１，１，２）と複数の横桁（３）及びＸ字形桟（５）からなるパレット本体（ａ）をユニット化することができ、耐久性の向上を図れると共に、作製がより容易になるなどの利点がある。
【００１２】
請求項３では、前記外ケース（７）が、側周壁にフォーク差し込み用開口（８）を有する下部パレット（ｂ）の上面に固着されていることを特徴とする。
【００１３】
このように形成した場合、フォーク差し込み用開口（８）を有する下部パレット（ｂ）を一体に備えた紙製パレットとなるので、フォークリフトを用いて、搬送作業を容易に行えるようになる。
【００１４】
本発明に係る紙製パレットは、請求項４のように、左右及び中央の縦桁（１，１，２）、複数の横桁（３）とＸ字形桟（５）、上面板（６）、外ケース（７）、下部パレット（ｂ）を、単層段ボール板又は２層以上の多層段ボール板からなるものとすることが、作製コストの低減、耐久性や強度の向上、リサイクル性などの点で好ましい。
【００１５】
また本発明に係る紙製パレットは、請求項５のように、大画面液晶ＴＶの前面に装着するアクリル製湾曲板を多数枚積層して搬送する場合に好適に用いることができる。
【００１６】
【発明の実施の形態】
以下、本発明に係る紙製パレットの実施形態の一例を図１〜図５を参照して説明する。本例の紙製パレットＡは図１に示すように、下部パレットｂの上面に外ケース７を固着すると共に、その外ケース７内に、左右の縦桁１，１、中央の縦桁２、複数の横桁３、複数のＸ字形桟５からなるパレット基体部ａを収容し、かつそのパレット基体部ａに上面板６を固着してなり、図５に示すように、大画面液晶ＴＶの前面に装着するアクリル製の湾曲板１００を多数枚積み重ねた状態で、その湾曲板１００がうねり状に変形するような虞れなく積載して搬送し得るよう形成されている。
【００１７】
下部パレットｂは、例えば特開２０００−３３５５７９号公報に記載されるような段ボール板からなる従来公知の紙製パレットであって、その側周四面に、フォーク差し込み用の開口８を備えると共に、上面にデッキボード９を固着して形成されている。
【００１８】
外ケース７は、段ボール板からなる基材の要所の折り曲げと貼り着けにより、上面が開口する四角形の箱状に形成されている。
【００１９】
左右の縦桁１，１は、段ボール板からなる基材の要所の折り曲げと貼り着けにより、図３中に示すような多層構造の桁材として形成され、その上端面には、横桁３の左右端部の下向き切込み３１が嵌り込む上向き切込み１１が、縦桁１の長手方向に対し適宜間隔ごとに形成されている。また左右の縦桁１，１は、上面板６の（湾曲板１００の）曲率に合わせて適宜高さに（中央の縦桁２よりも高く）形成されており、外ケース７の内部空間の左右両側に起立状に配列され、該外ケース７の底面板７ａに固着されている。
【００２０】
中央の縦桁２は、段ボール板からなる基材を複数枚貼り着けることにより、図３中に示すような多層構造の桁材として形成され、その上端面には、横桁３の中央の下向き切込み３２が嵌り込む上向き切込み２１が、縦桁２の長手方向に対し適宜間隔ごとに形成されている。また中央の縦桁２は、上面板６の（湾曲板１００の）曲率に合わせて適宜高さに（左右の縦桁１，１よりも低く）形成されており、外ケース７の内部空間のほぼ中央に起立状に配列され、該外ケース７の底面板７ａに固着されている。
【００２１】
夫々の横桁３は、段ボール板からなる基材を複数枚貼り着けることにより、図３中に示すような多層構造の桁材として形成され、その下端面には、縦桁１の上向き切込み１１に嵌り込む下向き切込み３１が左右端部に形成されると共に、縦桁２の上向き切込み２１に嵌り込む下向き切込み３２が中央に形成されており、それら下向き切込み３１，３２が対応する上向き切込み１１，２１に嵌り込む状態で、左右の縦桁１，１にわたって配列されている。
また夫々の横桁３の上端面３ａは、上面板６の（湾曲板１００の）曲率に合わせて曲面状にカットされている。
【００２２】
このようにして枠組みされた左右の縦桁１，１、中央の縦桁２、複数の横桁３の間には、複数の空間部４が区画形成されるが、夫々の空間部４には、図２に示すように、Ｘ字形桟５が装填されている。
【００２３】
Ｘ字形桟５は、図４に示すように段ボール板からなる二枚の基材５−１，５−２からなるもので、一方の基材５−１の下端面に設けた下向き切込み５１と他方の基材５−２の上端面に設けた上向き切込み５２を係合させてＸ字形に形成されている。それら基材５−１，５−２の上端面５ａは湾曲板１００の曲率に合う曲面状にカットされており、その上端面５ａの曲率が湾曲板１００の曲率に合うよう配列する状態で前記空間部４に装填され、外ケース７の底面板７ａに固着されている。
【００２４】
上面板６は、湾曲板１００と同様な湾曲形状の段ボール板からなり、前記した左右及び中央の縦桁１，１，２と複数の横桁３及びＸ字形桟５とで構成されるパレット本体ａの上面、すなわち、左右及び中央の縦桁１，１，２と複数の横桁３及びＸ字形桟５の上端面１ａ，１ａ，２ａ，３ａ，５ａ上に固着されて、それら縦桁１，２、複数の横桁３及びＸ字形桟５で支持されている。
【００２５】
前記した縦桁１，２、横桁３、Ｘ字形桟５、上面板６、外ケース７、下部パレットｂ、デッキボード９などの各構成要素は、単層段ボールや２層以上の多層段ボールからなる段ボール板を単独で又はそれらを必要数貼り合わせることで、所望の強度と耐久性を備えるよう形成されている。
【００２６】
以上の構成になる本例の紙製パレットＡは、図５に示すように、上面板６上に多数枚積み重ねた被搬送物としての湾曲板１００の積載荷重を、左右の縦桁１，１、中央の縦桁２、複数の横桁３、複数のＸ字形桟５により均等に分散させることができる。よって、被搬送物が大画面液晶ＴＶの前面に装着するアクリル製の湾曲板１００であって、多数枚積み重ねた場合にその荷重によりうねり状に変形が生じる虞れのある製品を、変形が生じることなく積載して搬送することができる。
【００２７】
また、左右の縦桁１，１、中央の縦桁２、複数の横桁３、複数のＸ字形桟５からなるパレット本体ａを外ケース７内に収容することでパレット本体ａをユニット化することができ、パレット本体ａの強度や耐久性が向上すると共に、その作製が容易になるなどの利点がある。
【００２８】
また、フォーク差し込み用開口８を有する下部パレットｂを一体に備えているので、フォークリフトを用いて搬送作業を容易に行うことができる。
【００２９】
また前記したように、各縦桁１，２、横桁３、Ｘ字形桟５、上面板６、外ケース７、下部パレットｂ、デッキボード９などの各構成要素を段ボール板製としたので、作製コストの低減、耐久性や強度の向上、リサイクル性などの点で多くの効果を奏する。
【００３０】
【実施例】
２層の段ボール板を用いて、長さ９００ｍｍ，高さ１１０ｍｍ程度の左右の縦桁１と、長さ９００ｍｍ，高さ７０ｍｍ程度の中央の縦桁２と、長さ７００ｍｍ，左右端部の高さ１２０ｍｍ，中央部の高さ７０ｍｍ程度の横桁３と、長さ３５０ｍｍ，内端部の高さ７０ｍｍ，外端部の高さ１１０ｍｍ程度の二枚の基材５−１，５−２からなるＸ字形桟５を、９００ｍｍ×７００ｍｍ程度の大きさの外ケース７内で組み合わせてパレット本体ａを形成すると共に、該パレット本体ａの上面に、外ケース７と同程度の大きさで且つ湾曲板１００と同じ曲率で湾曲する上面板６を固着し、さらに外ケース７を下部パレットｂのデッキボード９上に載置し、且つそれら各構成要素同士の所要箇所を所望の接着剤で固着して紙製パレットＡを作製した。
この紙製パレットＡの上面板６上に、大画面液晶ＴＶの前面に装着するアクリル製湾曲板１００を２０枚程積み重ねて積載し所定時間静置したところ、各湾曲板１００にはうねり状の変形が生じることなく、フォークリフトを用いて安定した状態で搬送することができた。
【００３１】
以上、本発明の実施形態の一例を図面を参照しながら説明したが、本発明に係る紙製パレットの構成や用途は図示例のものに限られず、特許請求の範囲の各請求項に記載された技術的思想の範疇において、種々の変更が可能であることは言うまでもない。
【００３２】
【発明の効果】
本発明は以上説明したように、段ボール板などの板紙からなる紙製のパレットであるから、木材や合成樹脂等からなるパレットに比べて材料費が安く、製作性も良く、かつ軽量であるため取り扱いやすく、さらにはリサイクル性にも適したものである。
また、左右及び中央の縦桁と複数の横桁との間に形成される空間部分に、Ｘ字形の桟を装填して、製品（被搬送物）に係る積載荷重が均一に分散される構成としたので、紙材を効率良く用いながら、製品にかかる荷重を均一に分散して支持することができる。したがって、大画面液晶ＴＶの前面に装着するアクリル製湾曲板のように、積載荷重分布が不均一になるとうねり状の変形が生じ易い製品を、そのような変形が生じることなく多数枚を積み重ねて搬送することができ、且つ材料の無駄無く低コストでの製造が可能な、新規な紙製パレットを提供することができた。
【図面の簡単な説明】
【図１】本発明に係る紙製パレットの実施形態の一例を示す斜視図。
【図２】図１における上面板を外した状態の斜視図。
【図３】要部の分解斜視図。
【図４】Ｘ字形桟の拡大図。
【図５】使用状態を示す斜視図。
【符号の説明】
Ａ：紙製パレット
１：左右の縦桁
２：中央の縦桁
３：横桁
４：空間部
５：Ｘ字形桟
６：上面板
７：外ケース
ｂ：下部パレット
１００：湾曲板（被搬送物）
【図１】
2004149180.tif 000003
【図２】
2004149180.tif 000004
【図３】
2004149180.tif 000005
【図４】
2004149180.tif 000006
【図５】
2004149180.tif 000007